(57)【要約】  制御信号に対する移動局での判定回数を減少させて移動局の電力消費を抑えることができる無線通信基地局装置。この無線通信基地局装置（１００）において、マッピング設定部（１２２）は、マッピング部（１０２）におけるマッピング方法を設定し、マッピング（１０２）は、マッピング設定部（１２２）によって設定されるマッピング方法に従って各移動局への制御信号をＯＦＤＭシンボルを構成する複数のサブキャリアのいずれかにマッピングし、ＭＣＳ設定部（１２１）は、マッピング設定部（１２２）での設定結果に従って、ＭＣＳレベルが互いに異なる複数のＭＣＳ各々と複数のマッピング方法各々との対応付けが設定されたマッピングテーブルを参照して、符号化・変調部（１０１−１〜１０１−ｎ）におけるＭＣＳを設定する。
2008084810.tif 000002
【特許請求の範囲】
【請求項１】
制御信号のＭＣＳまたは前記制御信号の情報内容に対応するマッピング方法を設定する設定手段と、
設定された前記マッピング方法に従って前記制御信号を通信リソースにマッピングするマッピング手段と、
を具備する無線通信基地局装置。
【請求項２】
前記設定手段は、ＭＣＳレベルが低い制御信号に対してディストリビューテッドマッピングを設定し、ＭＣＳレベルが高い制御信号に対してローカライズドマッピングを設定する、
請求項１記載の無線通信基地局装置。
【請求項３】
前記設定手段は、ＭＩＭＯ伝送用の割当情報が含まれる制御信号に対してローカライズドマッピングを設定し、ＭＩＭＯ伝送用の割当情報が含まれない制御信号に対してディストリビューテッドマッピングを設定する、
請求項１記載の無線通信基地局装置。
【請求項４】
前記設定手段は、上り回線用の割当情報が含まれる制御信号に対してディストリビューテッドマッピングを設定する、
請求項１記載の無線通信基地局装置。
【請求項５】
ＭＣＳレベルが互いに異なる複数のＭＣＳの各々と複数のマッピング方法の各々との対応を示す情報を無線通信移動局装置へ送信する送信手段、をさらに具備する、
請求項１記載の無線通信基地局装置。
【請求項６】
複数の制御情報タイプの各々と複数のマッピング方法の各々との対応を示す情報を無線通信移動局装置へ送信する送信手段、をさらに具備する、
請求項１記載の無線通信基地局装置。
【請求項７】
前記対応は、前記無線通信移動局装置による前記制御信号に対する判定回数が所定値以下になるように予め設定される、
請求項５記載の無線通信基地局装置。
【請求項８】
前記対応は、前記無線通信移動局装置による前記制御信号に対する判定回数が所定値以下になるように予め設定される、
請求項６記載の無線通信基地局装置。
【請求項９】
制御信号のＭＣＳまたは前記制御信号の情報内容に対応するマッピング方法にて前記制御信号を通信リソースにマッピングする、
制御信号のマッピング方法。
【発明の詳細な説明】
【技術分野】
【０００１】
本発明は、無線通信基地局装置および制御信号のマッピング方法に関する。
【背景技術】
【０００２】
近年、無線通信、特に移動体通信では、音声以外に画像やデータなどの様々な情報が伝送の対象になっている。今後は、さらに高速な伝送に対する要求がさらに高まるであろうと予想され、高速伝送を行うために、限られた周波数資源をより効率よく利用して、高い伝送効率を実現する無線伝送技術が求められている。【０００３】
このような要求に応え得る無線伝送技術の一つにＯＦＤＭ（Orthogonal Frequency Division Multiplexing）がある。ＯＦＤＭは、多数のサブキャリアを用いてデータを並列伝送するマルチキャリア伝送技術であり、高い周波数利用効率、マルチパス環境下のシンボル間干渉低減などの特徴を持ち、伝送効率の向上に有効であることが知られている。【０００４】
このＯＦＤＭを下り回線に用い、無線通信基地局装置（以下、単に基地局という）が複数の無線通信移動局装置（以下、単に移動局という）へのデータを複数のサブキャリアに周波数多重する場合に、周波数スケジューリング送信および周波数ダイバーシチ送信を行うことが検討されている。【０００５】
周波数スケジューリング送信では、基地局が各移動局での周波数帯域毎の受信品質に基づいて各移動局に対して適応的にサブキャリアを割り当てるため、最大限のマルチユーザダイバーシチ効果を得ることができる。このような周波数スケジューリング送信は、主に、低速で移動する移動局に適した方式である。一方で、周波数スケジューリング送信を行うには各移動局から基地局への受信品質情報のフィードバックが必要となるため、周波数スケジューリング送信は高速で移動する移動局には適さない。さらに、周波数スケジューリング送信は、通常、隣接する複数のサブキャリアをいくつかまとめてブロック化したリソースブロック毎に行われる。つまり、周波数スケジューリング送信では、各移動局へのデータをリソースブロック毎にまとめて各サブキャリアにマッピングする、すなわち、ローカライズドマッピング（Localized Mapping）するため、それほど高い周波数ダイバーシチ効果は得られない。【０００６】
これに対し、周波数ダイバーシチ送信では、各移動局へのデータを全帯域のサブキャリアに分散させてマッピングする、すなわち、ディストリビューテッドマッピング（Distributed Mapping）するため、高い周波数ダイバーシチ効果を得ることができる。また、周波数ダイバーシチ送信では、移動局からの受信品質情報を必要としないため、周波数スケジューリング送信を適用困難な状況において有効な方式である。一方で、周波数ダイバーシチ送信は、各移動局での受信品質と無関係に行われるため、周波数スケジューリング送信のようなマルチユーザダイバーシチ効果は得られない。【０００７】
また、周波数スケジューリング送信を行うために基地局は、各サブフレームでのデータ送信先の移動局に対してサブフレーム毎に、データ送信に先立ってサブフレームの先頭で、移動局ＩＤ（ユーザＩＤ），リソースブロック番号，データチャネルの変調方式および符号化率（Modulation and Coding Scheme：ＭＣＳ），制御情報タイプ等の情報からなる制御信号を送信する。また、この制御信号はＳＣＣＨ（Shared Control Channel；共有制御チャネル）で伝送される。ＳＣＣＨはそのサブフレームでデータが送信される移動局の数だけ存在し、１サブフレーム当たりの移動局数は例えば通信システムにおいて使用可能な周波数帯域幅等により規定される。つまり、各サブフレームの先頭では、そのサブフレームにおけるデータチャネル数と同数のＳＣＣＨが同一時刻に多重される。【０００８】
そして、最近、ＳＣＣＨに対しても周波数スケジューリング送信および周波数ダイバーシチ送信を適用することが検討されている（非特許文献１参照）。すなわち、ＳＣＣＨで伝送される制御信号をローカライズドマッピングおよびディストリビューテッドマッピングすることが検討されている。この場合、ＳＣＣＨで伝送される制御信号には、制御信号のマッピング方法も含まれる。そして、このような制御信号を受信する移動局では、受信した制御信号と、マッピング方法および情報内容の組合せが採り得るすべてのパターンとを１対１で突き合わせることにより制御信号の内容を特定する。つまり、移動局はＳＣＣＨでの制御信号をブラインド判定する。
【非特許文献１】3GPP RAN WG1 Meeting document, R1-063177
【発明の開示】
【発明が解決しようとする課題】
【０００９】
例えば、図１に示すように、１ＯＦＤＭシンボルを構成するサブキャリアｆ１〜ｆ１６に対し、３つのＳＣＣＨ（ＳＣＣＨ１〜３）がローカライズドマッピングされ、１つのＳＣＣＨ（ＳＣＣＨ４）がディストリビューテッドマッピングされて、４つのＳＣＣＨが周波数多重される場合を想定する。つまり、周波数領域の通信リソースにローカライズドマッピングとディストリビューテッドマッピングとが混在する場合を想定する。なお、このようなマッピングパターンは予め各移動局へ通知される。【００１０】
また、各移動局毎に、制御情報タイプが（１）ＤＬ（Downlink；下り回線）かつｎｏｎ−ＭＩＭＯ（Multiple-Input Multiple-Output）割当情報，（２）ＤＬかつＭＩＭＯ割当情報，（３）ＵＬ（Uplink；上り回線）割当情報の３種類あり、ＭＣＳが４種類ある場合を想定する。【００１１】
各移動局では、通知されるマッピングパターン（図１）に従って制御信号に対するブラインド判定を行うため、ローカライズドマッピングについて３回（ＳＣＣＨ１〜３）×３回（制御情報タイプ）×４回（ＭＣＳ）＝３６回、ディストリビューテッドマッピングについて１回（ＳＣＣＨ４）×３回（制御情報タイプ）×４回（ＭＣＳ）＝１２回の合計４８回のブラインド判定を試みる必要がある。【００１２】
このように、移動局は４８回と非常に多くの回数のブラインド判定を試みる必要があるので、移動局では制御信号に対するブラインド判定によって多くの電力が消費されてしまう。【００１３】
本発明の目的は、制御信号に対する移動局での判定回数を減少させて移動局の電力消費を抑えることができる基地局および制御信号のマッピング方法を提供することである。
【課題を解決するための手段】
【００１４】
本発明の基地局は、制御信号のＭＣＳまたは前記制御信号の情報内容に対応するマッピング方法を設定する設定手段と、設定された前記マッピング方法に従って前記制御信号を通信リソースにマッピングするマッピング手段と、を具備する構成を採る。
【発明の効果】
【００１５】
本発明によれば、制御信号に対する移動局での判定回数を減少させて移動局の電力消費を抑えることができる。
【図面の簡単な説明】
【００１６】
【図１】マッピングパターン例（例１）
【図２】実施の形態１に係る基地局の構成を示すブロック図
【図３】実施の形態１に係るマッピングテーブル
【図４】実施の形態２に係る基地局の構成を示すブロック図
【図５】実施の形態２に係るマッピングテーブル（例１）
【図６】実施の形態２に係るマッピングテーブル（例２）
【図７】マッピングパターン例（例２）
【図８】マッピングパターン例（例３）
【図９】通信リソース例
【発明を実施するための最良の形態】
【００１７】
以下、本発明の実施の形態について、添付図面を参照して詳細に説明する。【００１８】
（実施の形態１）
本実施の形態に係る基地局１００の構成を図２に示す。基地局１００は、複数のＳＣＣＨを同一時刻に多重するものである。【００１９】
基地局１００において、ＳＣＣＨ用の符号化部１１および変調部１２からなる符号化・変調部１０１−１〜１０１−ｎ、データチャネル用の符号化部２１および変調部２２からなる符号化・変調部１０３−１〜１０３−ｎ、および、復調部３１および復号部３２からなる復調・復号部１１３−１〜１１３−ｎは、基地局１００が通信可能な移動局の数ｎだけ備えられる。また、符号化・変調部１０１−１〜１０１−ｎ、符号化・変調部１０３−１〜１０３−ｎ、および、復調・復号部１１３−１〜１１３−ｎは、移動局１〜ｎにそれぞれ対応して備えられる。【００２０】
ＭＣＳ設定部１２１は、符号化・変調部１０１−１〜１０１−ｎにおけるＭＣＳを設定する。ＭＣＳ設定部１２１でのＭＣＳ設定の詳細については後述する。【００２１】
符号化・変調部１０１−１〜１０１−ｎにおいて、各符号化部１１は、ＭＣＳ設定部１２１によって設定されるＭＣＳに従って、移動局毎のＳＣＣＨで送信される移動局毎の制御信号に対して符号化処理（ＣＲＣ（Cyclic Redundancy Check）符号化および誤り訂正符号化）を行い、各変調部１２は、ＭＣＳ設定部１２１によって設定されるＭＣＳに従って、符号化後の制御信号に対して変調処理を行ってマッピング部１０２に出力する。【００２２】
マッピング設定部１２２は、マッピング部１０２におけるマッピング方法、すなわち、制御信号のマッピング方法を設定する。また、マッピング設定部１２２は、後述する各復号部３２から入力される受信品質情報をマッピング部１０２に出力する。マッピング設定部１２２でのマッピング方法設定の詳細については後述する。【００２３】
マッピング部１０２は、マッピング設定部１２２によって設定されるマッピング方法に従って、各移動局への制御信号をＯＦＤＭシンボルを構成する複数のサブキャリアのいずれかにマッピングして多重部１０５に出力する。つまり、マッピング部１０２は、移動局毎の複数のＳＣＣＨを、ＯＦＤＭシンボルを構成する複数のサブキャリアのいずれかにマッピングする。マッピング部１０２でのこのマッピング処理により、複数のＳＣＣＨが同一時刻に周波数多重される。マッピング部１０２でのマッピングの詳細については後述する。【００２４】
符号化・変調部１０３−１〜１０３−ｎにおいて、各符号化部２１は、移動局毎の送信データに対して符号化処理（ＣＲＣ符号化および誤り訂正符号化）を行い、各変調部２２は、符号化後の送信データに対して変調処理を行ってマッピング部１０４に出力する。このときのＭＣＳは適応制御部１１４から入力されるＭＣＳ情報に従う。【００２５】
マッピング部１０４は、適応制御部１１４からの制御に従って、各移動局へのデータを、ＯＦＤＭシンボルを構成する複数のサブキャリアのいずれかにマッピングして多重部１０５に出力する。この際、マッピング部１０４は、各移動局へのデータをリソースブロックを単位として複数のサブキャリアのいずれかにマッピングする。また、マッピング部１０４は、各データのマッピング結果情報（どの移動局へのデータをどのリソースブロックにマッピングしたかを示す情報）として、移動局ＩＤおよびリソースブロック番号を制御信号生成部１１５に出力する。【００２６】
ＭＣＳレベルが互いに異なる複数のＭＣＳ各々と複数のマッピング方法各々との対応付けが設定されたマッピングテーブルの情報（マッピングテーブル情報）が、ＭＣＳ設定部１２１および符号化部１２３に入力される。このマッピングテーブル情報は、基地局１００より上位のレイヤにある無線回線制御局装置（Radio Network Controller）から通知される。また、このマッピングテーブル情報はＢＣＨ（Broadcast Channel；報知チャネル），ＤＰＣＣＨ（Dedicated Physical Control Channel；個別制御チャネル），ＲＲＣ（Radio Resource Control）シグナリング等で基地局１００から各移動局へ送信される。【００２７】
符号化部１２３は、マッピングテーブル情報に対して符号化処理を行い、変調部１２４は、符号化後のマッピングテーブル情報に対して変調処理を行って多重部１０５に出力する。【００２８】
多重部１０５は、マッピング部１０４から入力される各データに、マッピング１０２から入力される制御信号、変調部１２４から入力されるマッピングテーブル情報、および、パイロットを時間多重してＩＦＦＴ（Inverse Fast Fourier Transform）部１０６に出力する。制御信号の多重は例えばサブフレーム毎に行われ、制御信号は各サブフレームの先頭に多重される。また、マッピングテーブル情報の多重は例えば各移動局の通信開始後の初回シグナリング時に行われる。また、パイロットの多重は所定の時間間隔にて行われる。【００２９】
ＩＦＦＴ部１０６は、複数のサブキャリアにマッピングされた制御信号または複数のサブキャリアにマッピングされたデータに対してＩＦＦＴを行って、マルチキャリア信号であるＯＦＤＭシンボルを生成する。つまり、ＩＦＦＴ部１０６は、複数のＳＣＣＨが周波数多重されたＯＦＤＭシンボルまたは複数のデータチャネルが周波数多重されたＯＦＤＭシンボルを生成する。また、ＳＣＣＨからなるＯＦＤＭシンボルとデータチャネルからなるＯＦＤＭシンボルとが１サブフレームにおいて時間多重される。また、ＩＦＦＴ部１０６は、マッピングテーブル情報またはパイロットに対してＩＦＦＴを行ってＯＦＤＭシンボルを生成する。なお、マッピングテーブル情報は１ＯＦＤＭシンボルの特定のサブキャリアにマッピングされ、パイロットは１ＯＦＤＭシンボルの全サブキャリアにマッピングされる。【００３０】
ＣＰ（Cyclic Prefix）付加部１０７は、ＯＦＤＭシンボルの後尾部分と同じ信号をＣＰとしてＯＦＤＭシンボルの先頭に付加する。【００３１】
無線送信部１０８は、ＣＰ付加後のＯＦＤＭシンボルに対しＤ／Ａ変換、増幅およびアップコンバート等の送信処理を行ってアンテナ１０９から各移動局へ送信する。【００３２】
一方、無線受信部１１０は、最大ｎ個の移動局から同時に送信されたｎ個のＯＦＤＭシンボルをアンテナ１０９を介して受信し、これらのＯＦＤＭシンボルに対しダウンコンバート、Ａ／Ｄ変換等の受信処理を行う。【００３３】
ＣＰ除去部１１１は、受信処理後のＯＦＤＭシンボルからＣＰを除去する。【００３４】
ＦＦＴ（Fast Fourier Transform）部１１２は、ＣＰ除去後のＯＦＤＭシンボルに対してＦＦＴを行って、周波数領域で多重された移動局毎の信号を得る。ここで、各移動局は互いに異なるサブキャリアまたは互いに異なるリソースブロックを用いて信号を送信しており、移動局毎の信号にはそれぞれ、各移動局から報告される受信品質情報が含まれている。なお、各移動局では、受信品質の測定を、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ等により行うことができる。また、受信品質情報は、ＣＱＩ（Channel Quality Indicator）やＣＳＩ（Channel State Information）等と表されることがある。【００３５】
復調・復号部１１３−１〜１１３−ｎにおいて、各復調部３１は、ＦＦＴ後の信号対して復調処理を行い、各復号部３２は、復調後の信号に対して復号処理を行う。これにより、受信データが得られる。受信データのうち受信品質情報が適応制御部１１４、ＭＣＳ設定部１２１およびマッピング設定部１２２に入力される。【００３６】
適応制御部１１４は、各移動局から報告された受信品質情報に基づいて各移動局への送信データに対する適応制御を行う。すなわち、適応制御部１１４は、受信品質情報に基づいて、符号化・変調部１０３−１〜１０３−ｎに対しては、所要誤り率を満たすことができるＭＣＳの選択を行ってＭＣＳ情報を出力する。この適応制御は、リソースブロック毎に行われる。つまり、適応制御部１１４は、複数のリソースブロック毎にデータチャネルの適応制御を行う。また、適応制御部１１４は、受信品質情報に基づいて、マッピング部１０４に対しては、Max SIR法やProportional Fairness法等のスケジューリングアルゴリズムを用いて、各移動局への送信データをどのリソースブロックにマッピングするかを決定する。また、適応制御部１１４は、移動局毎のＭＣＳ情報を制御信号生成部１１５に出力する。【００３７】
制御信号生成部１１５は、移動局毎のマッピング結果情報、移動局毎のＭＣＳ情報、および、制御信号の制御情報タイプからなる移動局毎の制御信号を生成して、それぞれ対応する符号化部１１に出力する。制御情報タイプは上記のように（１）ＤＬかつｎｏｎ−ＭＩＭＯ割当情報，（２）ＤＬかつＭＩＭＯ割当情報，（３）ＵＬ割当情報の３種類あり、制御信号生成部１１５は、これら３種類の制御情報タイプのうちのいずれか１つを選択する。【００３８】
次いで、ＭＣＳ設定部１２１でのＭＣＳ設定の詳細、マッピング設定部１２２でのマッピング方法設定の詳細、および、マッピング部１０２でのマッピングの詳細について説明する。【００３９】
なお、変調方式についてはＭＣＳレベルが高くなるほど変調レベルが高く（変調多値数が多く）なり、符号化率についてはＭＣＳレベルが高くなるほど符号化率が高くなる。つまり、ＭＣＳレベルが高くなるほど伝送レート（ビットレート）が高くなる一方で、誤り率特性は劣化する。【００４０】
ここで、セル境界付近に位置する移動局での受信品質は隣接セルからの干渉の変動の影響を受けやすいため、セル境界付近に位置する移動局では周波数帯域毎の受信品質情報の精度が悪くなってしまう。よって、セル境界付近に位置する移動局に適用するマッピング方法としては、受信品質情報を必要としないディストリビューテッドマッピングが適している。一方、セル中心付近に位置する移動局での受信品質は隣接セルからの干渉の変動の影響を受けにくいため、セル中心付近に位置する移動局では周波数帯域毎の受信品質情報の精度が良い。よって、セル中心付近に位置する移動局に適用するマッピング方法としては、周波数帯域毎の受信品質に基づいて行われるローカライズドマッピングが適している。【００４１】
また、セル境界付近に位置する移動局へのＳＣＣＨに対しては、所要受信品質を満たすために、ＭＣＳレベルが低いＭＣＳを設定する必要がある。一方、セル中心付近に位置する移動局へのＳＣＣＨに対してはＭＣＳレベルが高いＭＣＳを設定しても所要受信品質を満たすことができる。【００４２】
以上のことから、セル境界付近に位置する移動局へのＳＣＣＨ、すなわち、ＭＣＳレベルが低いＭＣＳを設定されるＳＣＣＨに対してはディストリビューテッドマッピングが適しており、セル中心付近に位置する移動局へのＳＣＣＨ、すなわち、ＭＣＳレベルが高いＭＣＳを設定されるＳＣＣＨに対してはローカライズドマッピングが適していると言える。【００４３】
そこで、本実施の形態では、以下のようにして、ＳＣＣＨのマッピングおよびＳＣＣＨに対するＭＣＳ設定を行う。【００４４】
以下の説明では、上記同様、図１に示すマッピングパターンが予め各移動局へ通知されている。また、上記同様、１ＯＦＤＭシンボルに４つのＳＣＣＨが周波数多重される。つまり、１サブフレーム当たりに割り当てられる移動局の数を４つとする。【００４５】
本実施の形態に係るマッピングテーブルを図３に示す。このマッピングテーブルにおいては、ＭＣＳ１〜４のうち、ＭＣＳ１が最もＭＣＳレベルが低く、ＭＣＳ４が最もＭＣＳレベルが高い。つまり、このマッピングテーブルにおいては、ＭＣＳレベルが低いＭＣＳとディストリビューテッドマッピングとが対応付けて設定されており、ＭＣＳレベルが高いＭＣＳとローカライズドマッピングとが対応付けて設定されている。この対応付けは、各移動局による制御信号に対するブラインド判定回数が所定値以下になるように予め設定される。例えば、本実施の形態では、対応付けを行わない場合に比べ、移動局でのブランド判定回数が半数以下になるような対応付けが予め設定される。【００４６】
マッピング設定部１２２は、例えば、移動局毎に全周波数帯域（すなわち、サブキャリアｆ１〜ｆ１６）の平均受信品質を求め、この平均受信品質が上位３つの移動局（以下、上位移動局という）への制御信号のマッピング方法をローカライズドマッピングに設定し、この平均受信品質が最下位の移動局（以下、最下位移動局という）への制御信号のマッピング方法をディストリビューテッドマッピングに設定する。そして、マッピング設定部１２２は、設定結果をマッピング部１０２およびＭＣＳ設定部１２１に出力する。【００４７】
マッピング部１０２は、マッピング設定部１２２での設定結果に従って、３つの上位移動局各々への制御信号を図１に示すＳＣＣＨ１〜３のいずれかにマッピングし、最下位移動局への制御信号をＳＣＣＨ４にマッピングする。【００４８】
この際、マッピング部１０２は、ＳＣＣＨ１に該当する周波数帯域（すなわち、サブキャリアｆ２〜ｆ５）の平均受信品質を３つの上位移動局間で比較し、この平均受信品質が最も高い移動局への制御信号をＳＣＣＨ１にマッピングする。また、マッピング部１０２は、ＳＣＣＨ２に該当する周波数帯域（すなわち、サブキャリアｆ７〜ｆ１０）の平均受信品質を残りの２つの上位移動局間で比較し、この平均受信品質がより高い移動局への制御信号をＳＣＣＨ２にマッピングする。そして、マッピング部１０２は、残りの１つの上位移動局への制御信号をＳＣＣＨ３にマッピングする。【００４９】
一方、ＭＣＳ設定部１２１は、マッピング設定部１２２での設定結果に従って、マッピングテーブル情報で示される図３のマッピングテーブルを参照して、４つの移動局各々への制御信号に対し４つのＭＣＳの中からいずれか１つのＭＣＳを選択する。すなわち、ＭＣＳ設定部１２１は、ディストリビューテッドマッピングを設定された制御信号に対してはＭＣＳ１またはＭＣＳ２のＭＣＳレベルが低いＭＣＳを設定し、ローカライズドマッピングを設定された制御信号に対してはＭＣＳ３またはＭＣＳ４のＭＣＳレベルが高いＭＣＳを設定する。【００５０】
また、ＭＣＳ設定部１２１は、ディストリビューテッドマッピングを設定された制御信号については、その制御信号の送信先の移動局の全周波数帯域（すなわち、サブキャリアｆ１〜ｆ１６）の平均受信品質を求め、この平均受信品質がしきい値ＴＨ１未満の場合はＭＣＳ１を設定し、この平均受信品質がしきい値ＴＨ１以上の場合はＭＣＳ２を設定する。また、ＭＣＳ設定部１２１は、ローカライズドマッピングを設定された制御信号については、その制御信号がマッピングされたＳＣＣＨに該当する周波数帯域の平均受信品質を求め、この平均受信品質がしきい値ＴＨ２未満の場合はＭＣＳ３を設定し、この平均受信品質がしきい値ＴＨ２以上の場合はＭＣＳ４を設定する。なお、各しきい値の関係は、ＴＨ１＜ＴＨ２である。【００５１】
このように、本実施の形態では、制御信号のＭＣＳに対応するマッピング方法に従って各制御信号を周波数領域の通信リソースにマッピングする。【００５２】
制御信号に対してこのようなマッピングを行うことにより、制御信号を受信する各移動局でのブラインド判定の回数は以下のようになる。なお、ここでは、上記同様、各移動局毎に、制御情報タイプが３種類あるものとする。【００５３】
本実施の形態では、ディストリビューテッドマッピングに対しＭＣＳ１およびＭＣＳ２の２つのＭＣＳが対応し、ローカライズドマッピングに対しＭＣＳ３およびＭＣＳ４の２つのＭＣＳが対応する。よって、各移動局では、マッピング方法の判定とＭＣＳの判定とを兼ねて行うことができる。すなわち、各移動局では、マッピング方法がディストリビューテッドマッピングと判定されれば、ＭＣＳの判定については、ＭＣＳ１およびＭＣＳ２に対する２回のブラインド判定を試みれば足り、同様に、マッピング方法がローカライズドマッピングと判定されれば、ＭＣＳの判定については、ＭＣＳ３およびＭＣＳ４に対する２回のブラインド判定を試みれば足りる。【００５４】
よって、通知されるマッピングパターン（図１）に従って制御信号に対するブラインド判定を行う各移動局では、ローカライズドマッピングについて３回（ＳＣＣＨ１〜３）×３回（制御情報タイプ）×２回（ＭＣＳ）＝１８回、ディストリビューテッドマッピングについて１回（ＳＣＣＨ４）×３回（制御情報タイプ）×２回（ＭＣＳ）＝６回の合計２４回のブラインド判定を試みれば足りる。よって、各移動局での制御信号に対するブラインド判定回数は従来の４８回に比べ半減する。【００５５】
このように、本実施の形態によれば、制御信号のマッピング方法と制御信号のＭＣＳとを対応付けるため、制御信号に対する移動局での判定回数を減少させることができる。よって、本実施の形態によれば、移動局の電力消費を抑えることができる。【００５６】
また、本実施の形態によれば、ＭＣＳレベルが低いＭＣＳを設定される制御信号をディストリビューテッドマッピング、ＭＣＳレベルが高いＭＣＳを設定される制御信号をローカライズドマッピングとして、それぞれのマッピング方法に適したＭＣＳを設定するため、ＳＣＣＨの伝送効率を向上させることができる。【００５７】
上記説明では、ディストリビューテッドマッピング、ローカライズドマッピングの各々に対しそれぞれ２種類ずつのＭＣＳを対応させたが、ディストリビューテッドマッピング、ローカライズドマッピングの各々に対しそれぞれ１つずつのＭＣＳを対応させてもよい。この場合、各移動局でのブラインド判定回数は、ローカライズドマッピングについて３回（ＳＣＣＨ１〜３）×３回（制御情報タイプ）×１回（ＭＣＳ）＝９回、ディストリビューテッドマッピングについて１回（ＳＣＣＨ４）×３回（制御情報タイプ）×１回（ＭＣＳ）＝３回の合計１２回となり、制御信号に対する移動局での判定回数をさらに減少させることができる。なお、この場合、制御信号のＭＣＳの設定にあたり、ＭＣＳ設定部１２１での平均受信品質としきい値との比較は不要となる。【００５８】
（実施の形態２）
本実施の形態では、制御信号の情報内容に対応するマッピング方法に従って各制御信号を周波数領域の通信リソースにマッピングする。【００５９】
本実施の形態に係る基地局３００の構成を図４に示す。なお、図４において図２（実施の形態１）と同一の構成部には同一符号を付し説明を省略する。【００６０】
各復号部３２は、受信データのうち受信品質情報を適応制御部１１４に出力する。【００６１】
制御信号生成部１１５は、実施の形態１で説明した処理に加え、選択された制御情報タイプをマッピング設定部３０１に出力する。【００６２】
また、互いに異なる複数の制御情報タイプ各々と複数のマッピング方法各々との対応付けが設定されたマッピングテーブルの情報（マッピングテーブル情報）が、マッピング設定部３０１および符号化部１２３に入力される。このマッピングテーブル情報は、基地局３００より上位のレイヤにある無線回線制御局装置から通知される。また、このマッピングテーブル情報はＢＣＨ，ＤＰＣＣＨ，ＲＲＣシグナリング等で基地局３００から各移動局へ送信される。【００６３】
マッピング設定部３０１は、マッピング部３０２におけるマッピング方法、すなわち、制御信号のマッピング方法を設定する。【００６４】
マッピング部３０２は、マッピング設定部３０１によって設定されるマッピング方法に従って、各移動局への制御信号をＯＦＤＭシンボルを構成する複数のサブキャリアのいずれかにマッピングして多重部１０５に出力する。つまり、マッピング部３０２は、移動局毎の複数のＳＣＣＨを、ＯＦＤＭシンボルを構成する複数のサブキャリアのいずれかにマッピングする。マッピング部３０２でのこのマッピング処理により、複数のＳＣＣＨが同一時刻に周波数多重される。【００６５】
次いで、マッピング設定部３０１でのマッピング方法設定の詳細、および、マッピング部３０２でのマッピングの詳細について説明する。【００６６】
上記のように、セル境界付近に位置する移動局に適用するマッピング方法としては、受信品質情報を必要としないディストリビューテッドマッピングが適している。一方、セル中心付近に位置する移動局に適用するマッピング方法としては、周波数帯域毎の受信品質に基づいて行われるローカライズドマッピングが適している。【００６７】
また、ｎｏｎ−ＭＩＭＯ送信は、セル境界付近に位置し、隣接セルからの干渉の影響により空間分離を行うことが困難な移動局に適用される可能性が高い。一方、ＭＩＭＯ送信は、セル中心付近に位置し、隣接セルからの干渉が小さく精度良く空間分離を行うことができる移動局に適用される可能性が高い。【００６８】
以上のことから、セル境界付近に位置する移動局へのＳＣＣＨ、すなわち、ｎｏｎ−ＭＩＭＯ送信が適用される移動局へのＳＣＣＨに対してはディストリビューテッドマッピングが適しており、セル中心付近に位置する移動局へのＳＣＣＨ、すなわち、ＭＩＭＯ送信が適用される移動局へのＳＣＣＨに対してはローカライズドマッピングが適していると言える。【００６９】
また、上り回線の割当を行うタイミングでは上り回線のデータは存在するが、下り回線のデータは存在しない可能性がある。よって、上り回線の割当を行うタイミングでは、下り回線のデータの周波数スケジューリング送信のための受信品質情報が移動局から基地局へ通知されない可能性がある。よって、上り回線の割当情報からなるＳＣＣＨに対しては、受信品質情報を必要としないディストリビューテッドマッピングが適している。【００７０】
そこで、本実施の形態では、以下のようにしてＳＣＣＨのマッピングを行う。【００７１】
以下の説明では、上記同様、図１に示すマッピングパターンが予め各移動局へ通知されている。また、上記同様、１ＯＦＤＭシンボルに４つのＳＣＣＨが周波数多重される。つまり、１サブフレーム当たりに割り当てられる移動局の数を４つとする。【００７２】
また、ＭＣＳが４種類ある場合を想定する。【００７３】
本実施の形態に係るマッピングテーブルを図５に示す。このマッピングテーブルにおいては、ＵＬ割当情報とディストリビューテッドマッピングとが対応付けて設定されており、ＤＬかつｎｏｎ−ＭＩＭＯ割当情報とディストリビューテッドマッピングとが対応付けて設定されており、ＤＬかつＭＩＭＯ割当情報とローカライズドマッピングとが対応付けて設定されている。つまり、このマッピングテーブルにおいては、制御情報タイプ、すなわち、制御信号の情報内容と制御信号のマッピング方法とが対応付けて設定されている。この対応付けは、実施の形態１同様、各移動局による制御信号に対するブラインド判定回数が所定値以下になるように予め設定される。例えば、本実施の形態では、実施の形態１同様、対応付けを行わない場合に比べ、移動局でのブランド判定回数が半数以下になるような対応付けが予め設定される。【００７４】
マッピング設定部３０１は、制御信号生成部１１５から入力される制御情報タイプに従って、マッピングテーブル情報で示される図５のマッピングテーブルを参照して、制御情報タイプがＵＬ割当情報である制御信号のマッピング方法をディストリビューテッドマッピングに設定し、制御情報タイプがＤＬかつｎｏｎ−ＭＩＭＯ割当情報である制御信号のマッピング方法をディストリビューテッドマッピングに設定し、制御情報タイプがＤＬかつＭＩＭＯ割当情報である制御信号のマッピング方法をローカライズドマッピングに設定する。つまり、マッピング設定部３０１は、ＭＩＭＯ伝送用の割当情報（ＤＬかつＭＩＭＯ割当情報）が含まれる制御信号に対してローカライズドマッピングを設定し、ＭＩＭＯ伝送用の割当情報（ＤＬかつＭＩＭＯ割当情報）が含まれない制御信号に対してディストリビューテッドマッピングを設定する。また、マッピング設定部３０１は、上り回線用の割当情報（ＵＬ割当情報）が含まれる制御信号に対してディストリビューテッドマッピングを設定する。そして、マッピング設定部３０１は、設定結果をマッピング部３０２に出力する。【００７５】
マッピング部３０２は、マッピング設定部３０１での設定結果に従って、各移動局への制御信号を図１に示すＳＣＣＨ１〜４のいずれかにマッピングする。【００７６】
このように、本実施の形態では、制御信号の制御情報タイプに対応するマッピング方法に従って各制御信号を周波数領域の通信リソースにマッピングする。【００７７】
制御信号に対してこのようなマッピングを行うことにより、制御信号を受信する各移動局でのブラインド判定の回数は以下のようになる。【００７８】
本実施の形態では、ディストリビューテッドマッピングに対しＵＬ割当情報、および、ＤＬかつｎｏｎ−ＭＩＭＯ割当情報が対応し、ローカライズドマッピングに対しＤＬかつＭＩＭＯ割当情報が対応する。よって、各移動局では、マッピング方法の判定と制御情報タイプの判定とを兼ねて行うことができる。すなわち、各移動局では、マッピング方法がディストリビューテッドマッピングと判定されれば、制御情報タイプの判定については、ＵＬ割当情報、および、ＤＬかつｎｏｎ−ＭＩＭＯ割当情報に対する２回のブラインド判定を試みれば足り、同様に、マッピング方法がローカライズドマッピングと判定されれば、制御情報タイプの判定については、ＤＬかつＭＩＭＯ割当情報に対する１回のブラインド判定を試みれば足りる。【００７９】
よって、通知されるマッピングパターン（図１）に従って制御信号に対するブラインド判定を行う各移動局では、ローカライズドマッピングについて３回（ＳＣＣＨ１〜３）×１回（制御情報タイプ）×４回（ＭＣＳ）＝１２回、ディストリビューテッドマッピングについて１回（ＳＣＣＨ４）×２回（制御情報タイプ）×４回（ＭＣＳ）＝８回の合計２０回のブラインド判定を試みれば足りる。よって、各移動局での制御信号に対するブラインド判定回数は従来の４８回に比べ半数以下に減少する。【００８０】
このように、本実施の形態によれば、制御信号のマッピング方法と制御信号の制御情報タイプとを対応付けるため、実施の形態１同様、制御信号に対する移動局での判定回数を減少させることができる。よって、本実施の形態によれば、実施の形態１同様、移動局の電力消費を抑えることができる。【００８１】
なお、ＭＩＭＯ送信がなされるか、ｎｏｎ−ＭＩＭＯ送信がなされるかが予め各移動局において既知な場合の各移動局でのブラインド判定回数は以下のようになる。すなわち、ＭＩＭＯ送信がなされる移動局でのブラインド判定回数は、ローカライズドマッピングについて３回（ＳＣＣＨ１〜３）×１回（制御情報タイプ）×４回（ＭＣＳ）＝１２回、ディストリビューテッドマッピングについて１回（ＳＣＣＨ４）×１回（制御情報タイプ）×４回（ＭＣＳ）＝４回の合計１６回となり、ｎｏｎ−ＭＩＭＯ送信がなされる移動局でのブラインド判定回数は、１回（ＳＣＣＨ４）×２回（制御情報タイプ）×４回（ＭＣＳ）＝８回となり、制御信号に対する移動局での判定回数をさらに減少させることができる。【００８２】
また、制御情報タイプが（１）ＤＬかつｎｏｎ−ＭＩＭＯ割当情報，（２）ＤＬかつＭＩＭＯ割当情報の２種類しか存在しない場合は、図６に示すマッピングテーブルを用いて上記同様にしてマッピング方法の設定を行うとよい。この場合、通知されるマッピングパターン（図１）に従って制御信号に対するブラインド判定を行う各移動局では、ローカライズドマッピングについて３回（ＳＣＣＨ１〜３）×１回（制御情報タイプ）×４回（ＭＣＳ）＝１２回、ディストリビューテッドマッピングについて１回（ＳＣＣＨ４）×１回（制御情報タイプ）×４回（ＭＣＳ）＝４回の合計１６回のブラインド判定を試みれば足りる。また、ＭＩＭＯ送信がなされるか、ｎｏｎ−ＭＩＭＯ送信がなされるかが予め各移動局において既知な場合、ＭＩＭＯ送信がなされる移動局でのブラインド判定回数は、ローカライズドマッピングについて３回（ＳＣＣＨ１〜３）×１回（制御情報タイプ）×４回（ＭＣＳ）＝１２回、ディストリビューテッドマッピングについて１回（ＳＣＣＨ４）×１回（制御情報タイプ）×４回（ＭＣＳ）＝４回の合計１６回となり、ｎｏｎ−ＭＩＭＯ送信がなされる移動局でのブラインド判定回数は、１回（ＳＣＣＨ４）×１回（制御情報タイプ）×４回（ＭＣＳ）＝４回となり、制御信号に対する移動局での判定回数をさらに減少させることができる。【００８３】
また、ＤＬかつＭＩＭＯ割当情報は、さらに、ＳＵ−ＭＩＭＯ（Single User-MIMO）割当情報とＭＵ−ＭＩＭＯ（Multi User-MIMO）割当情報とに分かれていてもよい。【００８４】
以上、本発明の実施の形態について説明した。【００８５】
なお、実施の形態１と実施の形態２とを組み合わせて実施してもよい。組み合わせて実施することにより、制御信号に対する移動局での判定回数をさらに減少させることができる。【００８６】
また、上記説明では周波数領域の通信リソースにローカライズドマッピングとディストリビューテッドマッピングとが混在するマッピングパターン（図１）を示したが、１ＯＦＤＭシンボルを構成するサブキャリアｆ１〜ｆ１６に対し４つのＳＣＣＨ（ＳＣＣＨ１〜４）がローカライズドマッピングされて周波数領域の通信リソースにローカライズドマッピングのみが存在するマッピングパターン（図７）、または、１ＯＦＤＭシンボルを構成するサブキャリアｆ１〜ｆ１６に対し４つのＳＣＣＨ（ＳＣＣＨ１〜４）がディストリビューテッドマッピングされて周波数領域の通信リソースにディストリビューテッドマッピングのみが存在するマッピングパターン（図８）のいずれに対しても本発明を適用することができる。図１，図７または図８のいずれのマッピングパターンを採るかは、ＢＣＨ，ＤＰＣＣＨ，ＲＲＣシグナリング等で基地局から各移動局へ予め通知される。図７または図８に示すマッピングパターンを採る場合、各移動局ではローカライズドマッピングまたはディストリビューテッドマッピングのいずれか一方のみについてのブラインド判定で足りるため、制御信号に対する移動局での判定回数をさらに減少させることができる。【００８７】
また、通信リソースは、周波数だけでなく、図９に示すように時間および周波数により定義されてもよい。【００８８】
また、割り当てるマッピング方法を移動局毎に予め決めておいてもよい。例えば、セル中心付近の移動局に対してはローカライズドマッピング、セル境界付近の移動局に対してはディストリビューテッドマッピングと予め決めておく。これにより、各移動局ではローカライズドマッピングまたはディストリビューテッドマッピングのいずれか一方のみについてのブラインド判定で足りるため、制御信号に対する移動局での判定回数をさらに減少させることができる。【００８９】
また、ブラインド判定対象となるＳＣＣＨを移動局毎に予め限定しておいてもよい。例えば、図１において、ある移動局はＳＣＣＨ１のみ、他の移動局はＳＣＣＨ２のみを受信するように予め決めておく。これにより、各移動局では、特定のＳＣＣＨのみについてのブラインド判定で足りるため、制御信号に対する移動局での判定回数をさらに減少させることができる。【００９０】
また、上記説明で用いたサブフレームは、例えばタイムスロットやフレーム等、他の送信時間単位であってもよい。【００９１】
また、上記説明で用いたリソースブロックは、例えばサブキャリアブロック等、周波数領域の他の伝送単位であってもよい。【００９２】
また、移動局はUE、基地局装置はNode B、サブキャリアはトーンと称されることもある。また、リソースブロックは、サブバンド、サブチャネル、サブキャリアブロック、または、チャンクと称されることもある。また、ＣＰは、ガードインターバル（Guard Interval：ＧＩ）と称されることもある。【００９３】
また、ＳＣＣＨでは、移動局ＩＤ、リソースブロック番号、ＭＣＳ情報の他、上り回線割当情報、Ａｃｋ／Ｎａｃｋ信号、ＰＩ（Paging Indicator）、ランダムアクセス応答等の制御信号を送信してもよい。【００９４】
また、本発明は、受信側の無線通信装置がブラインド判定により送信情報や送信パラメータを検出しなければならないすべてのチャネルに対して適用することができる。【００９５】
また、上記説明では、１つのＳＣＣＨでは１つの移動局に対する制御情報を送信するようにしたが、複数の移動局をグループ化し、グループ単位で１つのＳＣＣＨを使用するようにしてもよい。【００９６】
また、上記説明では、ＳＣＣＨがサブフレームの先頭にマッピングされる例を挙げて説明したが、ＳＣＣＨは、例えばサブフレームの２番目のＯＦＤＭシンボル等、サブフレームの先頭以外の位置にマッピングされてもよい。【００９７】
また、ＳＣＣＨの多重方法は周波数多重に限定されず、例えばコード多重であってもよい。【００９８】
また、周波数領域と時間領域との間の変換を行う方法は、ＩＦＦＴ、ＦＦＴに限られない。【００９９】
また、上記実施の形態では、本発明をハードウェアで構成する場合を例にとって説明したが、本発明はソフトウェアで実現することも可能である。【０１００】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１０１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【０１０２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１０３】
２００７年１月９日出願の特願２００７−００１７２６の日本出願に含まれる明細書、図面および要約書の開示内容は、すべて本願に援用される。
【産業上の利用可能性】
【０１０４】
本発明は、移動体通信システム等に適用することができる。
【図１】
2008084810.tif 000003
【図２】
2008084810.tif 000004
【図３】
2008084810.tif 000005
【図４】
2008084810.tif 000006
【図５】
2008084810.tif 000007
【図６】
2008084810.tif 000008
【図７】
2008084810.tif 000009
【図８】
2008084810.tif 000010
【図９】
2008084810.tif 000011
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
制御信号のＭＣＳまたは前記制御信号の情報内容に対応するマッピング方法を設定する設定手段と、
設定された前記マッピング方法に従って前記制御信号を通信リソースにマッピングするマッピング手段と、
を具備する無線通信基地局装置。
【請求項２】
前記設定手段は、ＭＣＳレベルが低い制御信号に対してディストリビューテッドマッピングを設定し、ＭＣＳレベルが高い制御信号に対してローカライズドマッピングを設定する、
請求項１記載の無線通信基地局装置。
【請求項３】
前記設定手段は、ＭＩＭＯ伝送用の割当情報が含まれる制御信号に対してローカライズドマッピングを設定し、ＭＩＭＯ伝送用の割当情報が含まれない制御信号に対してディストリビューテッドマッピングを設定する、
請求項１記載の無線通信基地局装置。
【請求項４】
前記設定手段は、上り回線用の割当情報が含まれる制御信号に対してディストリビューテッドマッピングを設定する、
請求項１記載の無線通信基地局装置。
【請求項５】
ＭＣＳレベルが互いに異なる複数のＭＣＳの各々と複数のマッピング方法の各々との対応を示す情報を無線通信移動局装置へ送信する送信手段、をさらに具備する、
請求項１記載の無線通信基地局装置。
【請求項６】
複数の制御情報タイプの各々と複数のマッピング方法の各々との対応を示す情報を無線通信移動局装置へ送信する送信手段、をさらに具備する、
請求項１記載の無線通信基地局装置。
【請求項７】
前記対応は、前記無線通信移動局装置による前記制御信号に対する判定回数が所定値以下になるように予め設定される、
請求項５記載の無線通信基地局装置。
【請求項８】
前記対応は、前記無線通信移動局装置による前記制御信号に対する判定回数が所定値以下になるように予め設定される、
請求項６記載の無線通信基地局装置。
【請求項９】
制御信号のＭＣＳまたは前記制御信号の情報内容に対応するマッピング方法にて前記制御信号を通信リソースにマッピングする、
制御信号のマッピング方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置および制御信号のマッピング方法に関する。
【背景技術】
【０００２】
近年、無線通信、特に移動体通信では、音声以外に画像やデータなどの様々な情報が伝送の対象になっている。今後は、さらに高速な伝送に対する要求がさらに高まるであろうと予想され、高速伝送を行うために、限られた周波数資源をより効率よく利用して、高い伝送効率を実現する無線伝送技術が求められている。
【０００３】
このような要求に応え得る無線伝送技術の一つにＯＦＤＭ（Orthogonal Frequency Division Multiplexing）がある。ＯＦＤＭは、多数のサブキャリアを用いてデータを並列伝送するマルチキャリア伝送技術であり、高い周波数利用効率、マルチパス環境下のシンボル間干渉低減などの特徴を持ち、伝送効率の向上に有効であることが知られている。
【０００４】
このＯＦＤＭを下り回線に用い、無線通信基地局装置（以下、単に基地局という）が複数の無線通信移動局装置（以下、単に移動局という）へのデータを複数のサブキャリアに周波数多重する場合に、周波数スケジューリング送信および周波数ダイバーシチ送信を行うことが検討されている。
【０００５】
周波数スケジューリング送信では、基地局が各移動局での周波数帯域毎の受信品質に基づいて各移動局に対して適応的にサブキャリアを割り当てるため、最大限のマルチユーザダイバーシチ効果を得ることができる。このような周波数スケジューリング送信は、主に、低速で移動する移動局に適した方式である。一方で、周波数スケジューリング送信を行うには各移動局から基地局への受信品質情報のフィードバックが必要となるため、周波数スケジューリング送信は高速で移動する移動局には適さない。さらに、周波数スケジューリング送信は、通常、隣接する複数のサブキャリアをいくつかまとめてブロック化したリソースブロック毎に行われる。つまり、周波数スケジューリング送信では、各移動局へのデータをリソースブロック毎にまとめて各サブキャリアにマッピングする、すなわち、ローカライズドマッピング（Localized Mapping）するため、それほど高い周波数ダイバーシチ効果は得られない。
【０００６】
これに対し、周波数ダイバーシチ送信では、各移動局へのデータを全帯域のサブキャリアに分散させてマッピングする、すなわち、ディストリビューテッドマッピング（Distributed Mapping）するため、高い周波数ダイバーシチ効果を得ることができる。また、周波数ダイバーシチ送信では、移動局からの受信品質情報を必要としないため、周波数スケジューリング送信を適用困難な状況において有効な方式である。一方で、周波数ダイバーシチ送信は、各移動局での受信品質と無関係に行われるため、周波数スケジューリング送信のようなマルチユーザダイバーシチ効果は得られない。
【０００７】
また、周波数スケジューリング送信を行うために基地局は、各サブフレームでのデータ送信先の移動局に対してサブフレーム毎に、データ送信に先立ってサブフレームの先頭で、移動局ＩＤ（ユーザＩＤ），リソースブロック番号，データチャネルの変調方式および符号化率（Modulation and Coding Scheme：ＭＣＳ），制御情報タイプ等の情報からなる制御信号を送信する。また、この制御信号はＳＣＣＨ（Shared Control Channel；共有制御チャネル）で伝送される。ＳＣＣＨはそのサブフレームでデータが送信される移動局の数だけ存在し、１サブフレーム当たりの移動局数は例えば通信システムにおいて使用可能な周波数帯域幅等により規定される。つまり、各サブフレームの先頭では、そのサブフレ
ームにおけるデータチャネル数と同数のＳＣＣＨが同一時刻に多重される。
【０００８】
そして、最近、ＳＣＣＨに対しても周波数スケジューリング送信および周波数ダイバーシチ送信を適用することが検討されている（非特許文献１参照）。すなわち、ＳＣＣＨで伝送される制御信号をローカライズドマッピングおよびディストリビューテッドマッピングすることが検討されている。この場合、ＳＣＣＨで伝送される制御信号には、制御信号のマッピング方法も含まれる。そして、このような制御信号を受信する移動局では、受信した制御信号と、マッピング方法および情報内容の組合せが採り得るすべてのパターンとを１対１で突き合わせることにより制御信号の内容を特定する。つまり、移動局はＳＣＣＨでの制御信号をブラインド判定する。
【非特許文献１】3GPP RAN WG1 Meeting document, R1-063177
【発明の開示】
【発明が解決しようとする課題】
【０００９】
例えば、図１に示すように、１ＯＦＤＭシンボルを構成するサブキャリアｆ１〜ｆ１６に対し、３つのＳＣＣＨ（ＳＣＣＨ１〜３）がローカライズドマッピングされ、１つのＳＣＣＨ（ＳＣＣＨ４）がディストリビューテッドマッピングされて、４つのＳＣＣＨが周波数多重される場合を想定する。つまり、周波数領域の通信リソースにローカライズドマッピングとディストリビューテッドマッピングとが混在する場合を想定する。なお、このようなマッピングパターンは予め各移動局へ通知される。
【００１０】
また、各移動局毎に、制御情報タイプが（１）ＤＬ（Downlink；下り回線）かつｎｏｎ−ＭＩＭＯ（Multiple-Input Multiple-Output）割当情報，（２）ＤＬかつＭＩＭＯ割当情報，（３）ＵＬ（Uplink；上り回線）割当情報の３種類あり、ＭＣＳが４種類ある場合を想定する。
【００１１】
各移動局では、通知されるマッピングパターン（図１）に従って制御信号に対するブラインド判定を行うため、ローカライズドマッピングについて３回（ＳＣＣＨ１〜３）×３回（制御情報タイプ）×４回（ＭＣＳ）＝３６回、ディストリビューテッドマッピングについて１回（ＳＣＣＨ４）×３回（制御情報タイプ）×４回（ＭＣＳ）＝１２回の合計４８回のブラインド判定を試みる必要がある。
【００１２】
このように、移動局は４８回と非常に多くの回数のブラインド判定を試みる必要があるので、移動局では制御信号に対するブラインド判定によって多くの電力が消費されてしまう。
【００１３】
本発明の目的は、制御信号に対する移動局での判定回数を減少させて移動局の電力消費を抑えることができる基地局および制御信号のマッピング方法を提供することである。
【課題を解決するための手段】
【００１４】
本発明の基地局は、制御信号のＭＣＳまたは前記制御信号の情報内容に対応するマッピング方法を設定する設定手段と、設定された前記マッピング方法に従って前記制御信号を通信リソースにマッピングするマッピング手段と、を具備する構成を採る。
【発明の効果】
【００１５】
本発明によれば、制御信号に対する移動局での判定回数を減少させて移動局の電力消費を抑えることができる。
【発明を実施するための最良の形態】
【００１６】
以下、本発明の実施の形態について、添付図面を参照して詳細に説明する。
【００１７】
（実施の形態１）
本実施の形態に係る基地局１００の構成を図２に示す。基地局１００は、複数のＳＣＣＨを同一時刻に多重するものである。
【００１８】
基地局１００において、ＳＣＣＨ用の符号化部１１および変調部１２からなる符号化・変調部１０１−１〜１０１−ｎ、データチャネル用の符号化部２１および変調部２２からなる符号化・変調部１０３−１〜１０３−ｎ、および、復調部３１および復号部３２からなる復調・復号部１１３−１〜１１３−ｎは、基地局１００が通信可能な移動局の数ｎだけ備えられる。また、符号化・変調部１０１−１〜１０１−ｎ、符号化・変調部１０３−１〜１０３−ｎ、および、復調・復号部１１３−１〜１１３−ｎは、移動局１〜ｎにそれぞれ対応して備えられる。
【００１９】
ＭＣＳ設定部１２１は、符号化・変調部１０１−１〜１０１−ｎにおけるＭＣＳを設定する。ＭＣＳ設定部１２１でのＭＣＳ設定の詳細については後述する。
【００２０】
符号化・変調部１０１−１〜１０１−ｎにおいて、各符号化部１１は、ＭＣＳ設定部１２１によって設定されるＭＣＳに従って、移動局毎のＳＣＣＨで送信される移動局毎の制御信号に対して符号化処理（ＣＲＣ（Cyclic Redundancy Check）符号化および誤り訂正符号化）を行い、各変調部１２は、ＭＣＳ設定部１２１によって設定されるＭＣＳに従って、符号化後の制御信号に対して変調処理を行ってマッピング部１０２に出力する。
【００２１】
マッピング設定部１２２は、マッピング部１０２におけるマッピング方法、すなわち、制御信号のマッピング方法を設定する。また、マッピング設定部１２２は、後述する各復号部３２から入力される受信品質情報をマッピング部１０２に出力する。マッピング設定部１２２でのマッピング方法設定の詳細については後述する。
【００２２】
マッピング部１０２は、マッピング設定部１２２によって設定されるマッピング方法に従って、各移動局への制御信号をＯＦＤＭシンボルを構成する複数のサブキャリアのいずれかにマッピングして多重部１０５に出力する。つまり、マッピング部１０２は、移動局毎の複数のＳＣＣＨを、ＯＦＤＭシンボルを構成する複数のサブキャリアのいずれかにマッピングする。マッピング部１０２でのこのマッピング処理により、複数のＳＣＣＨが同一時刻に周波数多重される。マッピング部１０２でのマッピングの詳細については後述する。
【００２３】
符号化・変調部１０３−１〜１０３−ｎにおいて、各符号化部２１は、移動局毎の送信データに対して符号化処理（ＣＲＣ符号化および誤り訂正符号化）を行い、各変調部２２は、符号化後の送信データに対して変調処理を行ってマッピング部１０４に出力する。このときのＭＣＳは適応制御部１１４から入力されるＭＣＳ情報に従う。
【００２４】
マッピング部１０４は、適応制御部１１４からの制御に従って、各移動局へのデータを、ＯＦＤＭシンボルを構成する複数のサブキャリアのいずれかにマッピングして多重部１０５に出力する。この際、マッピング部１０４は、各移動局へのデータをリソースブロックを単位として複数のサブキャリアのいずれかにマッピングする。また、マッピング部１０４は、各データのマッピング結果情報（どの移動局へのデータをどのリソースブロックにマッピングしたかを示す情報）として、移動局ＩＤおよびリソースブロック番号を制御信号生成部１１５に出力する。
【００２５】
ＭＣＳレベルが互いに異なる複数のＭＣＳ各々と複数のマッピング方法各々との対応付けが設定されたマッピングテーブルの情報（マッピングテーブル情報）が、ＭＣＳ設定部１２１および符号化部１２３に入力される。このマッピングテーブル情報は、基地局１００より上位のレイヤにある無線回線制御局装置（Radio Network Controller）から通知される。また、このマッピングテーブル情報はＢＣＨ（Broadcast Channel；報知チャネル），ＤＰＣＣＨ（Dedicated Physical Control Channel；個別制御チャネル），ＲＲＣ（Radio Resource Control）シグナリング等で基地局１００から各移動局へ送信される。
【００２６】
符号化部１２３は、マッピングテーブル情報に対して符号化処理を行い、変調部１２４は、符号化後のマッピングテーブル情報に対して変調処理を行って多重部１０５に出力する。
【００２７】
多重部１０５は、マッピング部１０４から入力される各データに、マッピング１０２から入力される制御信号、変調部１２４から入力されるマッピングテーブル情報、および、パイロットを時間多重してＩＦＦＴ（Inverse Fast Fourier Transform）部１０６に出力する。制御信号の多重は例えばサブフレーム毎に行われ、制御信号は各サブフレームの先頭に多重される。また、マッピングテーブル情報の多重は例えば各移動局の通信開始後の初回シグナリング時に行われる。また、パイロットの多重は所定の時間間隔にて行われる。
【００２８】
ＩＦＦＴ部１０６は、複数のサブキャリアにマッピングされた制御信号または複数のサブキャリアにマッピングされたデータに対してＩＦＦＴを行って、マルチキャリア信号であるＯＦＤＭシンボルを生成する。つまり、ＩＦＦＴ部１０６は、複数のＳＣＣＨが周波数多重されたＯＦＤＭシンボルまたは複数のデータチャネルが周波数多重されたＯＦＤＭシンボルを生成する。また、ＳＣＣＨからなるＯＦＤＭシンボルとデータチャネルからなるＯＦＤＭシンボルとが１サブフレームにおいて時間多重される。また、ＩＦＦＴ部１０６は、マッピングテーブル情報またはパイロットに対してＩＦＦＴを行ってＯＦＤＭシンボルを生成する。なお、マッピングテーブル情報は１ＯＦＤＭシンボルの特定のサブキャリアにマッピングされ、パイロットは１ＯＦＤＭシンボルの全サブキャリアにマッピングされる。
【００２９】
ＣＰ（Cyclic Prefix）付加部１０７は、ＯＦＤＭシンボルの後尾部分と同じ信号をＣＰとしてＯＦＤＭシンボルの先頭に付加する。
【００３０】
無線送信部１０８は、ＣＰ付加後のＯＦＤＭシンボルに対しＤ／Ａ変換、増幅およびアップコンバート等の送信処理を行ってアンテナ１０９から各移動局へ送信する。
【００３１】
一方、無線受信部１１０は、最大ｎ個の移動局から同時に送信されたｎ個のＯＦＤＭシンボルをアンテナ１０９を介して受信し、これらのＯＦＤＭシンボルに対しダウンコンバート、Ａ／Ｄ変換等の受信処理を行う。
【００３２】
ＣＰ除去部１１１は、受信処理後のＯＦＤＭシンボルからＣＰを除去する。
【００３３】
ＦＦＴ（Fast Fourier Transform）部１１２は、ＣＰ除去後のＯＦＤＭシンボルに対してＦＦＴを行って、周波数領域で多重された移動局毎の信号を得る。ここで、各移動局は互いに異なるサブキャリアまたは互いに異なるリソースブロックを用いて信号を送信しており、移動局毎の信号にはそれぞれ、各移動局から報告される受信品質情報が含まれている。なお、各移動局では、受信品質の測定を、受信ＳＮＲ、受信ＳＩＲ、受信ＳＩＮＲ、受信ＣＩＮＲ、受信電力、干渉電力、ビット誤り率、スループット、所定の誤り率を達成できるＭＣＳ等により行うことができる。また、受信品質情報は、ＣＱＩ（Channel Quality Indicator）やＣＳＩ（Channel State Information）等と表されることがある。
【００３４】
復調・復号部１１３−１〜１１３−ｎにおいて、各復調部３１は、ＦＦＴ後の信号対して復調処理を行い、各復号部３２は、復調後の信号に対して復号処理を行う。これにより、受信データが得られる。受信データのうち受信品質情報が適応制御部１１４、ＭＣＳ設定部１２１およびマッピング設定部１２２に入力される。
【００３５】
適応制御部１１４は、各移動局から報告された受信品質情報に基づいて各移動局への送信データに対する適応制御を行う。すなわち、適応制御部１１４は、受信品質情報に基づいて、符号化・変調部１０３−１〜１０３−ｎに対しては、所要誤り率を満たすことができるＭＣＳの選択を行ってＭＣＳ情報を出力する。この適応制御は、リソースブロック毎に行われる。つまり、適応制御部１１４は、複数のリソースブロック毎にデータチャネルの適応制御を行う。また、適応制御部１１４は、受信品質情報に基づいて、マッピング部１０４に対しては、Max SIR法やProportional Fairness法等のスケジューリングアルゴリズムを用いて、各移動局への送信データをどのリソースブロックにマッピングするかを決定する。また、適応制御部１１４は、移動局毎のＭＣＳ情報を制御信号生成部１１５に出力する。
【００３６】
制御信号生成部１１５は、移動局毎のマッピング結果情報、移動局毎のＭＣＳ情報、および、制御信号の制御情報タイプからなる移動局毎の制御信号を生成して、それぞれ対応する符号化部１１に出力する。制御情報タイプは上記のように（１）ＤＬかつｎｏｎ−ＭＩＭＯ割当情報，（２）ＤＬかつＭＩＭＯ割当情報，（３）ＵＬ割当情報の３種類あり、制御信号生成部１１５は、これら３種類の制御情報タイプのうちのいずれか１つを選択する。
【００３７】
次いで、ＭＣＳ設定部１２１でのＭＣＳ設定の詳細、マッピング設定部１２２でのマッピング方法設定の詳細、および、マッピング部１０２でのマッピングの詳細について説明する。
【００３８】
なお、変調方式についてはＭＣＳレベルが高くなるほど変調レベルが高く（変調多値数が多く）なり、符号化率についてはＭＣＳレベルが高くなるほど符号化率が高くなる。つまり、ＭＣＳレベルが高くなるほど伝送レート（ビットレート）が高くなる一方で、誤り率特性は劣化する。
【００３９】
ここで、セル境界付近に位置する移動局での受信品質は隣接セルからの干渉の変動の影響を受けやすいため、セル境界付近に位置する移動局では周波数帯域毎の受信品質情報の精度が悪くなってしまう。よって、セル境界付近に位置する移動局に適用するマッピング方法としては、受信品質情報を必要としないディストリビューテッドマッピングが適している。一方、セル中心付近に位置する移動局での受信品質は隣接セルからの干渉の変動の影響を受けにくいため、セル中心付近に位置する移動局では周波数帯域毎の受信品質情報の精度が良い。よって、セル中心付近に位置する移動局に適用するマッピング方法として
は、周波数帯域毎の受信品質に基づいて行われるローカライズドマッピングが適している。
【００４０】
また、セル境界付近に位置する移動局へのＳＣＣＨに対しては、所要受信品質を満たすために、ＭＣＳレベルが低いＭＣＳを設定する必要がある。一方、セル中心付近に位置する移動局へのＳＣＣＨに対してはＭＣＳレベルが高いＭＣＳを設定しても所要受信品質を満たすことができる。
【００４１】
以上のことから、セル境界付近に位置する移動局へのＳＣＣＨ、すなわち、ＭＣＳレベルが低いＭＣＳを設定されるＳＣＣＨに対してはディストリビューテッドマッピングが適しており、セル中心付近に位置する移動局へのＳＣＣＨ、すなわち、ＭＣＳレベルが高いＭＣＳを設定されるＳＣＣＨに対してはローカライズドマッピングが適していると言える。
【００４２】
そこで、本実施の形態では、以下のようにして、ＳＣＣＨのマッピングおよびＳＣＣＨに対するＭＣＳ設定を行う。
【００４３】
以下の説明では、上記同様、図１に示すマッピングパターンが予め各移動局へ通知されている。また、上記同様、１ＯＦＤＭシンボルに４つのＳＣＣＨが周波数多重される。つまり、１サブフレーム当たりに割り当てられる移動局の数を４つとする。
【００４４】
本実施の形態に係るマッピングテーブルを図３に示す。このマッピングテーブルにおいては、ＭＣＳ１〜４のうち、ＭＣＳ１が最もＭＣＳレベルが低く、ＭＣＳ４が最もＭＣＳレベルが高い。つまり、このマッピングテーブルにおいては、ＭＣＳレベルが低いＭＣＳとディストリビューテッドマッピングとが対応付けて設定されており、ＭＣＳレベルが高いＭＣＳとローカライズドマッピングとが対応付けて設定されている。この対応付けは、各移動局による制御信号に対するブラインド判定回数が所定値以下になるように予め設定される。例えば、本実施の形態では、対応付けを行わない場合に比べ、移動局でのブランド判定回数が半数以下になるような対応付けが予め設定される。
【００４５】
マッピング設定部１２２は、例えば、移動局毎に全周波数帯域（すなわち、サブキャリアｆ１〜ｆ１６）の平均受信品質を求め、この平均受信品質が上位３つの移動局（以下、上位移動局という）への制御信号のマッピング方法をローカライズドマッピングに設定し、この平均受信品質が最下位の移動局（以下、最下位移動局という）への制御信号のマッピング方法をディストリビューテッドマッピングに設定する。そして、マッピング設定部１２２は、設定結果をマッピング部１０２およびＭＣＳ設定部１２１に出力する。
【００４６】
マッピング部１０２は、マッピング設定部１２２での設定結果に従って、３つの上位移動局各々への制御信号を図１に示すＳＣＣＨ１〜３のいずれかにマッピングし、最下位移動局への制御信号をＳＣＣＨ４にマッピングする。
【００４７】
この際、マッピング部１０２は、ＳＣＣＨ１に該当する周波数帯域（すなわち、サブキャリアｆ２〜ｆ５）の平均受信品質を３つの上位移動局間で比較し、この平均受信品質が最も高い移動局への制御信号をＳＣＣＨ１にマッピングする。また、マッピング部１０２は、ＳＣＣＨ２に該当する周波数帯域（すなわち、サブキャリアｆ７〜ｆ１０）の平均受信品質を残りの２つの上位移動局間で比較し、この平均受信品質がより高い移動局への制御信号をＳＣＣＨ２にマッピングする。そして、マッピング部１０２は、残りの１つの上位移動局への制御信号をＳＣＣＨ３にマッピングする。
【００４８】
一方、ＭＣＳ設定部１２１は、マッピング設定部１２２での設定結果に従って、マッピ
ングテーブル情報で示される図３のマッピングテーブルを参照して、４つの移動局各々への制御信号に対し４つのＭＣＳの中からいずれか１つのＭＣＳを選択する。すなわち、ＭＣＳ設定部１２１は、ディストリビューテッドマッピングを設定された制御信号に対してはＭＣＳ１またはＭＣＳ２のＭＣＳレベルが低いＭＣＳを設定し、ローカライズドマッピングを設定された制御信号に対してはＭＣＳ３またはＭＣＳ４のＭＣＳレベルが高いＭＣＳを設定する。
【００４９】
また、ＭＣＳ設定部１２１は、ディストリビューテッドマッピングを設定された制御信号については、その制御信号の送信先の移動局の全周波数帯域（すなわち、サブキャリアｆ１〜ｆ１６）の平均受信品質を求め、この平均受信品質がしきい値ＴＨ１未満の場合はＭＣＳ１を設定し、この平均受信品質がしきい値ＴＨ１以上の場合はＭＣＳ２を設定する。また、ＭＣＳ設定部１２１は、ローカライズドマッピングを設定された制御信号については、その制御信号がマッピングされたＳＣＣＨに該当する周波数帯域の平均受信品質を求め、この平均受信品質がしきい値ＴＨ２未満の場合はＭＣＳ３を設定し、この平均受信品質がしきい値ＴＨ２以上の場合はＭＣＳ４を設定する。なお、各しきい値の関係は、ＴＨ１＜ＴＨ２である。
【００５０】
このように、本実施の形態では、制御信号のＭＣＳに対応するマッピング方法に従って各制御信号を周波数領域の通信リソースにマッピングする。
【００５１】
制御信号に対してこのようなマッピングを行うことにより、制御信号を受信する各移動局でのブラインド判定の回数は以下のようになる。なお、ここでは、上記同様、各移動局毎に、制御情報タイプが３種類あるものとする。
【００５２】
本実施の形態では、ディストリビューテッドマッピングに対しＭＣＳ１およびＭＣＳ２の２つのＭＣＳが対応し、ローカライズドマッピングに対しＭＣＳ３およびＭＣＳ４の２つのＭＣＳが対応する。よって、各移動局では、マッピング方法の判定とＭＣＳの判定とを兼ねて行うことができる。すなわち、各移動局では、マッピング方法がディストリビューテッドマッピングと判定されれば、ＭＣＳの判定については、ＭＣＳ１およびＭＣＳ２に対する２回のブラインド判定を試みれば足り、同様に、マッピング方法がローカライズドマッピングと判定されれば、ＭＣＳの判定については、ＭＣＳ３およびＭＣＳ４に対する２回のブラインド判定を試みれば足りる。
【００５３】
よって、通知されるマッピングパターン（図１）に従って制御信号に対するブラインド判定を行う各移動局では、ローカライズドマッピングについて３回（ＳＣＣＨ１〜３）×３回（制御情報タイプ）×２回（ＭＣＳ）＝１８回、ディストリビューテッドマッピングについて１回（ＳＣＣＨ４）×３回（制御情報タイプ）×２回（ＭＣＳ）＝６回の合計２４回のブラインド判定を試みれば足りる。よって、各移動局での制御信号に対するブラインド判定回数は従来の４８回に比べ半減する。
【００５４】
このように、本実施の形態によれば、制御信号のマッピング方法と制御信号のＭＣＳとを対応付けるため、制御信号に対する移動局での判定回数を減少させることができる。よって、本実施の形態によれば、移動局の電力消費を抑えることができる。
【００５５】
また、本実施の形態によれば、ＭＣＳレベルが低いＭＣＳを設定される制御信号をディストリビューテッドマッピング、ＭＣＳレベルが高いＭＣＳを設定される制御信号をローカライズドマッピングとして、それぞれのマッピング方法に適したＭＣＳを設定するため、ＳＣＣＨの伝送効率を向上させることができる。
【００５６】
上記説明では、ディストリビューテッドマッピング、ローカライズドマッピングの各々
に対しそれぞれ２種類ずつのＭＣＳを対応させたが、ディストリビューテッドマッピング、ローカライズドマッピングの各々に対しそれぞれ１つずつのＭＣＳを対応させてもよい。この場合、各移動局でのブラインド判定回数は、ローカライズドマッピングについて３回（ＳＣＣＨ１〜３）×３回（制御情報タイプ）×１回（ＭＣＳ）＝９回、ディストリビューテッドマッピングについて１回（ＳＣＣＨ４）×３回（制御情報タイプ）×１回（ＭＣＳ）＝３回の合計１２回となり、制御信号に対する移動局での判定回数をさらに減少させることができる。なお、この場合、制御信号のＭＣＳの設定にあたり、ＭＣＳ設定部１２１での平均受信品質としきい値との比較は不要となる。
【００５７】
（実施の形態２）
本実施の形態では、制御信号の情報内容に対応するマッピング方法に従って各制御信号を周波数領域の通信リソースにマッピングする。
【００５８】
本実施の形態に係る基地局３００の構成を図４に示す。なお、図４において図２（実施の形態１）と同一の構成部には同一符号を付し説明を省略する。
【００５９】
各復号部３２は、受信データのうち受信品質情報を適応制御部１１４に出力する。
【００６０】
制御信号生成部１１５は、実施の形態１で説明した処理に加え、選択された制御情報タイプをマッピング設定部３０１に出力する。
【００６１】
また、互いに異なる複数の制御情報タイプ各々と複数のマッピング方法各々との対応付けが設定されたマッピングテーブルの情報（マッピングテーブル情報）が、マッピング設定部３０１および符号化部１２３に入力される。このマッピングテーブル情報は、基地局３００より上位のレイヤにある無線回線制御局装置から通知される。また、このマッピングテーブル情報はＢＣＨ，ＤＰＣＣＨ，ＲＲＣシグナリング等で基地局３００から各移動局へ送信される。
【００６２】
マッピング設定部３０１は、マッピング部３０２におけるマッピング方法、すなわち、制御信号のマッピング方法を設定する。
【００６３】
マッピング部３０２は、マッピング設定部３０１によって設定されるマッピング方法に従って、各移動局への制御信号をＯＦＤＭシンボルを構成する複数のサブキャリアのいずれかにマッピングして多重部１０５に出力する。つまり、マッピング部３０２は、移動局毎の複数のＳＣＣＨを、ＯＦＤＭシンボルを構成する複数のサブキャリアのいずれかにマッピングする。マッピング部３０２でのこのマッピング処理により、複数のＳＣＣＨが同一時刻に周波数多重される。
【００６４】
次いで、マッピング設定部３０１でのマッピング方法設定の詳細、および、マッピング部３０２でのマッピングの詳細について説明する。
【００６５】
上記のように、セル境界付近に位置する移動局に適用するマッピング方法としては、受信品質情報を必要としないディストリビューテッドマッピングが適している。一方、セル中心付近に位置する移動局に適用するマッピング方法としては、周波数帯域毎の受信品質に基づいて行われるローカライズドマッピングが適している。
【００６６】
また、ｎｏｎ−ＭＩＭＯ送信は、セル境界付近に位置し、隣接セルからの干渉の影響により空間分離を行うことが困難な移動局に適用される可能性が高い。一方、ＭＩＭＯ送信は、セル中心付近に位置し、隣接セルからの干渉が小さく精度良く空間分離を行うことができる移動局に適用される可能性が高い。
【００６７】
以上のことから、セル境界付近に位置する移動局へのＳＣＣＨ、すなわち、ｎｏｎ−ＭＩＭＯ送信が適用される移動局へのＳＣＣＨに対してはディストリビューテッドマッピングが適しており、セル中心付近に位置する移動局へのＳＣＣＨ、すなわち、ＭＩＭＯ送信が適用される移動局へのＳＣＣＨに対してはローカライズドマッピングが適していると言える。
【００６８】
また、上り回線の割当を行うタイミングでは上り回線のデータは存在するが、下り回線のデータは存在しない可能性がある。よって、上り回線の割当を行うタイミングでは、下り回線のデータの周波数スケジューリング送信のための受信品質情報が移動局から基地局へ通知されない可能性がある。よって、上り回線の割当情報からなるＳＣＣＨに対しては、受信品質情報を必要としないディストリビューテッドマッピングが適している。
【００６９】
そこで、本実施の形態では、以下のようにしてＳＣＣＨのマッピングを行う。
【００７０】
以下の説明では、上記同様、図１に示すマッピングパターンが予め各移動局へ通知されている。また、上記同様、１ＯＦＤＭシンボルに４つのＳＣＣＨが周波数多重される。つまり、１サブフレーム当たりに割り当てられる移動局の数を４つとする。
【００７１】
また、ＭＣＳが４種類ある場合を想定する。
【００７２】
本実施の形態に係るマッピングテーブルを図５に示す。このマッピングテーブルにおいては、ＵＬ割当情報とディストリビューテッドマッピングとが対応付けて設定されており、ＤＬかつｎｏｎ−ＭＩＭＯ割当情報とディストリビューテッドマッピングとが対応付けて設定されており、ＤＬかつＭＩＭＯ割当情報とローカライズドマッピングとが対応付けて設定されている。つまり、このマッピングテーブルにおいては、制御情報タイプ、すなわち、制御信号の情報内容と制御信号のマッピング方法とが対応付けて設定されている。この対応付けは、実施の形態１同様、各移動局による制御信号に対するブラインド判定回数が所定値以下になるように予め設定される。例えば、本実施の形態では、実施の形態１同様、対応付けを行わない場合に比べ、移動局でのブランド判定回数が半数以下になるような対応付けが予め設定される。
【００７３】
マッピング設定部３０１は、制御信号生成部１１５から入力される制御情報タイプに従って、マッピングテーブル情報で示される図５のマッピングテーブルを参照して、制御情報タイプがＵＬ割当情報である制御信号のマッピング方法をディストリビューテッドマッピングに設定し、制御情報タイプがＤＬかつｎｏｎ−ＭＩＭＯ割当情報である制御信号のマッピング方法をディストリビューテッドマッピングに設定し、制御情報タイプがＤＬかつＭＩＭＯ割当情報である制御信号のマッピング方法をローカライズドマッピングに設定する。つまり、マッピング設定部３０１は、ＭＩＭＯ伝送用の割当情報（ＤＬかつＭＩＭＯ割当情報）が含まれる制御信号に対してローカライズドマッピングを設定し、ＭＩＭＯ伝送用の割当情報（ＤＬかつＭＩＭＯ割当情報）が含まれない制御信号に対してディストリビューテッドマッピングを設定する。また、マッピング設定部３０１は、上り回線用の割当情報（ＵＬ割当情報）が含まれる制御信号に対してディストリビューテッドマッピングを設定する。そして、マッピング設定部３０１は、設定結果をマッピング部３０２に出力する。
【００７４】
マッピング部３０２は、マッピング設定部３０１での設定結果に従って、各移動局への制御信号を図１に示すＳＣＣＨ１〜４のいずれかにマッピングする。
【００７５】
このように、本実施の形態では、制御信号の制御情報タイプに対応するマッピング方法
に従って各制御信号を周波数領域の通信リソースにマッピングする。
【００７６】
制御信号に対してこのようなマッピングを行うことにより、制御信号を受信する各移動局でのブラインド判定の回数は以下のようになる。
【００７７】
本実施の形態では、ディストリビューテッドマッピングに対しＵＬ割当情報、および、ＤＬかつｎｏｎ−ＭＩＭＯ割当情報が対応し、ローカライズドマッピングに対しＤＬかつＭＩＭＯ割当情報が対応する。よって、各移動局では、マッピング方法の判定と制御情報タイプの判定とを兼ねて行うことができる。すなわち、各移動局では、マッピング方法がディストリビューテッドマッピングと判定されれば、制御情報タイプの判定については、ＵＬ割当情報、および、ＤＬかつｎｏｎ−ＭＩＭＯ割当情報に対する２回のブラインド判定を試みれば足り、同様に、マッピング方法がローカライズドマッピングと判定されれば、制御情報タイプの判定については、ＤＬかつＭＩＭＯ割当情報に対する１回のブラインド判定を試みれば足りる。
【００７８】
よって、通知されるマッピングパターン（図１）に従って制御信号に対するブラインド判定を行う各移動局では、ローカライズドマッピングについて３回（ＳＣＣＨ１〜３）×１回（制御情報タイプ）×４回（ＭＣＳ）＝１２回、ディストリビューテッドマッピングについて１回（ＳＣＣＨ４）×２回（制御情報タイプ）×４回（ＭＣＳ）＝８回の合計２０回のブラインド判定を試みれば足りる。よって、各移動局での制御信号に対するブラインド判定回数は従来の４８回に比べ半数以下に減少する。
【００７９】
このように、本実施の形態によれば、制御信号のマッピング方法と制御信号の制御情報タイプとを対応付けるため、実施の形態１同様、制御信号に対する移動局での判定回数を減少させることができる。よって、本実施の形態によれば、実施の形態１同様、移動局の電力消費を抑えることができる。
【００８０】
なお、ＭＩＭＯ送信がなされるか、ｎｏｎ−ＭＩＭＯ送信がなされるかが予め各移動局において既知な場合の各移動局でのブラインド判定回数は以下のようになる。すなわち、ＭＩＭＯ送信がなされる移動局でのブラインド判定回数は、ローカライズドマッピングについて３回（ＳＣＣＨ１〜３）×１回（制御情報タイプ）×４回（ＭＣＳ）＝１２回、ディストリビューテッドマッピングについて１回（ＳＣＣＨ４）×１回（制御情報タイプ）×４回（ＭＣＳ）＝４回の合計１６回となり、ｎｏｎ−ＭＩＭＯ送信がなされる移動局でのブラインド判定回数は、１回（ＳＣＣＨ４）×２回（制御情報タイプ）×４回（ＭＣＳ）＝８回となり、制御信号に対する移動局での判定回数をさらに減少させることができる。
【００８１】
また、制御情報タイプが（１）ＤＬかつｎｏｎ−ＭＩＭＯ割当情報，（２）ＤＬかつＭＩＭＯ割当情報の２種類しか存在しない場合は、図６に示すマッピングテーブルを用いて上記同様にしてマッピング方法の設定を行うとよい。この場合、通知されるマッピングパターン（図１）に従って制御信号に対するブラインド判定を行う各移動局では、ローカライズドマッピングについて３回（ＳＣＣＨ１〜３）×１回（制御情報タイプ）×４回（ＭＣＳ）＝１２回、ディストリビューテッドマッピングについて１回（ＳＣＣＨ４）×１回（制御情報タイプ）×４回（ＭＣＳ）＝４回の合計１６回のブラインド判定を試みれば足りる。また、ＭＩＭＯ送信がなされるか、ｎｏｎ−ＭＩＭＯ送信がなされるかが予め各移動局において既知な場合、ＭＩＭＯ送信がなされる移動局でのブラインド判定回数は、ローカライズドマッピングについて３回（ＳＣＣＨ１〜３）×１回（制御情報タイプ）×４回（ＭＣＳ）＝１２回、ディストリビューテッドマッピングについて１回（ＳＣＣＨ４）×１回（制御情報タイプ）×４回（ＭＣＳ）＝４回の合計１６回となり、ｎｏｎ−ＭＩＭＯ送信がなされる移動局でのブラインド判定回数は、１回（ＳＣＣＨ４）×１回（制御情
報タイプ）×４回（ＭＣＳ）＝４回となり、制御信号に対する移動局での判定回数をさらに減少させることができる。
【００８２】
また、ＤＬかつＭＩＭＯ割当情報は、さらに、ＳＵ−ＭＩＭＯ（Single User-MIMO）割当情報とＭＵ−ＭＩＭＯ（Multi User-MIMO）割当情報とに分かれていてもよい。
【００８３】
以上、本発明の実施の形態について説明した。
【００８４】
なお、実施の形態１と実施の形態２とを組み合わせて実施してもよい。組み合わせて実施することにより、制御信号に対する移動局での判定回数をさらに減少させることができる。
【００８５】
また、上記説明では周波数領域の通信リソースにローカライズドマッピングとディストリビューテッドマッピングとが混在するマッピングパターン（図１）を示したが、１ＯＦＤＭシンボルを構成するサブキャリアｆ１〜ｆ１６に対し４つのＳＣＣＨ（ＳＣＣＨ１〜４）がローカライズドマッピングされて周波数領域の通信リソースにローカライズドマッピングのみが存在するマッピングパターン（図７）、または、１ＯＦＤＭシンボルを構成するサブキャリアｆ１〜ｆ１６に対し４つのＳＣＣＨ（ＳＣＣＨ１〜４）がディストリビューテッドマッピングされて周波数領域の通信リソースにディストリビューテッドマッピングのみが存在するマッピングパターン（図８）のいずれに対しても本発明を適用することができる。図１，図７または図８のいずれのマッピングパターンを採るかは、ＢＣＨ，ＤＰＣＣＨ，ＲＲＣシグナリング等で基地局から各移動局へ予め通知される。図７または図８に示すマッピングパターンを採る場合、各移動局ではローカライズドマッピングまたはディストリビューテッドマッピングのいずれか一方のみについてのブラインド判定で足りるため、制御信号に対する移動局での判定回数をさらに減少させることができる。
【００８６】
また、通信リソースは、周波数だけでなく、図９に示すように時間および周波数により定義されてもよい。
【００８７】
また、割り当てるマッピング方法を移動局毎に予め決めておいてもよい。例えば、セル中心付近の移動局に対してはローカライズドマッピング、セル境界付近の移動局に対してはディストリビューテッドマッピングと予め決めておく。これにより、各移動局ではローカライズドマッピングまたはディストリビューテッドマッピングのいずれか一方のみについてのブラインド判定で足りるため、制御信号に対する移動局での判定回数をさらに減少させることができる。
【００８８】
また、ブラインド判定対象となるＳＣＣＨを移動局毎に予め限定しておいてもよい。例えば、図１において、ある移動局はＳＣＣＨ１のみ、他の移動局はＳＣＣＨ２のみを受信するように予め決めておく。これにより、各移動局では、特定のＳＣＣＨのみについてのブラインド判定で足りるため、制御信号に対する移動局での判定回数をさらに減少させることができる。
【００８９】
また、上記説明で用いたサブフレームは、例えばタイムスロットやフレーム等、他の送信時間単位であってもよい。
【００９０】
また、上記説明で用いたリソースブロックは、例えばサブキャリアブロック等、周波数領域の他の伝送単位であってもよい。
【００９１】
また、移動局はUE、基地局装置はNode B、サブキャリアはトーンと称されることもある。また、リソースブロックは、サブバンド、サブチャネル、サブキャリアブロック、また
は、チャンクと称されることもある。また、ＣＰは、ガードインターバル（Guard Interval：ＧＩ）と称されることもある。
【００９２】
また、ＳＣＣＨでは、移動局ＩＤ、リソースブロック番号、ＭＣＳ情報の他、上り回線割当情報、Ａｃｋ／Ｎａｃｋ信号、ＰＩ（Paging Indicator）、ランダムアクセス応答等の制御信号を送信してもよい。
【００９３】
また、本発明は、受信側の無線通信装置がブラインド判定により送信情報や送信パラメータを検出しなければならないすべてのチャネルに対して適用することができる。
【００９４】
また、上記説明では、１つのＳＣＣＨでは１つの移動局に対する制御情報を送信するようにしたが、複数の移動局をグループ化し、グループ単位で１つのＳＣＣＨを使用するようにしてもよい。
【００９５】
また、上記説明では、ＳＣＣＨがサブフレームの先頭にマッピングされる例を挙げて説明したが、ＳＣＣＨは、例えばサブフレームの２番目のＯＦＤＭシンボル等、サブフレームの先頭以外の位置にマッピングされてもよい。
【００９６】
また、ＳＣＣＨの多重方法は周波数多重に限定されず、例えばコード多重であってもよい。
【００９７】
また、周波数領域と時間領域との間の変換を行う方法は、ＩＦＦＴ、ＦＦＴに限られない。
【００９８】
また、上記実施の形態では、本発明をハードウェアで構成する場合を例にとって説明したが、本発明はソフトウェアで実現することも可能である。
【００９９】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１００】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１０１】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１０２】
２００７年１月９日出願の特願２００７−００１７２６の日本出願に含まれる明細書、図面および要約書の開示内容は、すべて本願に援用される。
【産業上の利用可能性】
【０１０３】
本発明は、移動体通信システム等に適用することができる。
【図面の簡単な説明】
【０１０４】
【図１】マッピングパターン例（例１）
【図２】実施の形態１に係る基地局の構成を示すブロック図
【図３】実施の形態１に係るマッピングテーブル
【図４】実施の形態２に係る基地局の構成を示すブロック図
【図５】実施の形態２に係るマッピングテーブル（例１）
【図６】実施の形態２に係るマッピングテーブル（例２）
【図７】マッピングパターン例（例２）
【図８】マッピングパターン例（例３）
【図９】通信リソース例
【手続補正３】
【補正対象書類名】図面
【補正対象項目名】全図
【補正方法】変更
【補正の内容】
【図１】
2008084810.tif 000012
【図２】
2008084810.tif 000013
【図３】
2008084810.tif 000014
【図４】
2008084810.tif 000015
【図５】
2008084810.tif 000016
【図６】
2008084810.tif 000017
【図７】
2008084810.tif 000018
【図８】
2008084810.tif 000019
【図９】
2008084810.tif 000020
【国際調査報告】
2008084810.tif 000021
2008084810.tif 000022